(57)【要約】【課題】スラブ形成領域の様々な間隔に応じてデッキプレートの長さを調節することができ、スラブ施工時にデッキプレートをはめ殺しすることなく、再利用および転用することができるスライド式デッキプレートおよびこのスライド式デッキプレートによるスラブ施工方法を提供すること。【解決手段】仮設床面となる上面を備えた金属板製の第１のデッキプレートと、仮設床面となる上面を備えた金属板製の第２のデッキプレートとを有し、前記両デッキプレートは、連結長調節機構によって連結長を調節自在に連結する。【選択図】      図１
2005054354.tif 000002
【特許請求の範囲】
【請求項１】
スラブ施工時に仮設床材として敷設されるスライド式デッキプレートにおいて、
仮設床面となる上面を備えた金属板製の第１のデッキプレートと、仮設床面となる上面を備えた金属板製の第２のデッキプレートとを有し、前記両デッキプレートは、連結長調節機構によって連結長を調節自在に連結されていることを特徴とするスライド式デッキプレート。
【請求項２】
前記両デッキプレートは、仮設床面となるフラットな上面を形成するプレート本体と、このプレート本体の下面に固定されるとともに両デッキプレートの連結方向に長い少なくとも１本のスライドホルダをそれぞれ有しており、前記連結長調節機構は、前記両デッキプレートの前記プレート本体およびスライドホルダを互いに雄雌状にして連結するように形成されていることを特徴とする請求項１に記載のスライド式デッキプレート。
【請求項３】
前記両デッキプレートのプレート本体は、連結方向と直交する両端部に隣位するデッキプレートと重畳して連結される重畳連結部を有していることを特徴とする請求項１および請求項２のいずれか１項に記載のスライド式デッキプレート。
【請求項４】
前記各デッキプレートの上面に、連結方向に直交する方向に延在して突出したリブを、連結方向および連結方向に直交する方向に整列して複数形成したことを特徴とする請求項１乃至請求項３のいずれか１項に記載のスライド式デッキプレート。
【請求項５】
建物のスラブを形成するスラブ施工方法において、
形成すべきスラブの下方に仮設床面となる上面を備えた金属板製の第１のデッキプレートと、仮設床面となる上面を備えた金属板製の第２のデッキプレートとを有し、連結長調節機構によって連結長を調節自在に連結されているスライド式デッキプレートを、スラブ形成領域の大きさに合わせて連結長を調節して複数整列配置して仮設床面を形成し、この仮設床面上にスラブ型枠を形成した後コンクリートを打設してスラブを形成することを特徴とするスラブ施工方法。
【請求項６】
前記両デッキプレートは、仮設床面となる上面を形成するプレート本体と、このプレート本体の下面に固定されるとともに両デッキプレートの連結方向に長い少なくとも１本のスライドホルダをそれぞれ有しており、前記連結長調節機構は、前記両デッキプレートの前記プレート本体およびスライドホルダを互いに雄雌状にして連結するように形成されていることを特徴とする請求項５に記載のスラブ施工方法。
【請求項７】
前記両デッキプレートのプレート本体は、連結方向と直交する両端部に隣位するデッキプレートと重畳して連結される重畳連結部を有していることを特徴とする請求項５および請求項６のいずれか１項に記載のスラブ施工方法。
【請求項８】
前記各デッキプレートの上面に、連結方向に直交する方向に延在して突出したリブを、連結方向および連結方向に直交する方向に整列して複数形成したことを特徴とする請求項５乃至請求項７のいずれか１項に記載のスラブ施工方法。
【発明の詳細な説明】
【０００１】
【発明の属する技術分野】
本発明はスラブ施工時に仮設床材として敷設されるデッキプレートおよびスラブ施工方法に係り、特に、２つのデッキプレートを重畳し、連結長調節機構によって連結長を調節可能とし、様々な幅の仮設床材として使用することのできるスライド式デッキプレートおよびこのスライド式デッキプレートを使用したスラブ施工方法に関する。
【０００２】
【従来の技術】
従来から、複数階を有する建物の各上階のスラブ施工法の一例としては、形成された下階のスラブ上に垂直および水平に組まれた複数の支保工（サポート）を配置し、この支保工上に梁型枠を形成する。そして、対向して形成された梁型枠間に、配置された支保工上にバタ角と呼ばれる枕木を載置し、この枕木上に複数のデッキプレートを両側端が前記梁型枠内に突出するように載置するようにして、対向する梁型枠間に整列配置して仮設床面を形成する。そして、仮設床面上にスラブ型枠を形成した後、各梁型枠内および仮設床面上にコンクリートを打設し、梁およびスラブが形成される。
【０００３】
また、従来から、型枠材料として木材の代わりに鋼板を使用することが開示されている（例えば、特許文献１参照）。
【０００４】
【特許文献１】
特開平１１−１３１７９５号公報
【０００５】
【発明が解決しようとする課題】
しかし、前述したような従来のスラブ施工法は、対向して形成された梁型枠上に、各デッキプレートの両側端を梁型枠内に突出させて支持していたため、コンクリート打設後、各梁の断面に欠損が生じてしまうという問題があった。また、デッキプレートがはめ殺しとなるため、デッキプレートを再利用することができずコストがかかり、さらに、デッキプレートが金属製であるため、結露が生じてしまい、結露を防止するために石綿等を塗布する工事が必要となり、工事が煩雑化してしまうという問題があった。また、形成された各梁型枠の間隔に応じて様々な長さのデッキプレートを形成して使用しなくてはならなかった。
【０００６】
本発明はこのような問題点に鑑みてなされたもので、スラブ形成領域の様々な間隔に応じてデッキプレートの長さを調節することができ、スラブ施工時にデッキプレートをはめ殺しすることなく、再利用および転用することができ、さらに、デッキプレートのはめ殺しにより生じる結露を防止することができるスライド式デッキプレートおよびこのスライド式デッキプレートによるスラブ施工方法を提供することを目的としている。
【０００７】
【課題を解決するための手段】
前述した目的を達成するため本発明に係るスライド式デッキプレートの特徴は、仮設床面となる上面を備えた金属板製の第１のデッキプレートと、仮設床面となる上面を備えた金属板製の第２のデッキプレートとを有し、前記両デッキプレートは、連結長調節機構によって連結長を調節自在に連結されている点にある。
【０００８】
このような構成を採用したことにより、スラブを形成すべきスラブ形成領域の大きさ、具体的には形成された対向する梁と梁の様々な間隔に応じて連結長さを調節することができる。
【０００９】
また、本発明に係るスライド式デッキプレートの他の特徴は、両デッキプレートは、仮設床面となるフラットな上面を形成するプレート本体と、このプレート本体の下面に固定されるとともに両デッキプレートの連結方向に長い少なくとも１本のスライドホルダをそれぞれ有しており、連結長調節機構は、両デッキプレートのプレート本体およびスライドホルダを互いに雄雌状にして連結するように形成されている点にある。
【００１０】
このような構成を採用したことにより、両デッキプレートの連結を強固にすることができ、コンクリート打設時に、コンクリートの重量により両デッキプレートが連結部から歪むことを防止することができる。
【００１１】
また、本発明に係るスライド式デッキプレートの他の特徴は、両デッキプレートのプレート本体は、連結方向と直交する両端部に隣位するデッキプレートと重畳して連結される重畳連結部を有している点にある。
【００１２】
このような構成を採用したことにより、複数のスライド式デッキプレートを整列配置する際、各スライド式デッキプレートの位置合わせおよび連結を容易に行なうことができる。
【００１３】
また、本発明に係るスライド式デッキプレートの他の特徴は、各デッキプレートの上面に、連結方向に直交する方向に延在して突出したリブを、連結方向および連結方向に直交する方向に整列して複数形成した点にある。
【００１４】
このような構成を採用したことにより、各デッキプレートの連結方向と直交する方向の強度を向上させることができるとともに、各デッキプレート上において作業者が作業を行なう際に、滑り止めとしての効果を奏することができる。
【００１５】
また、本発明に係るスラブ施工方法の特徴は、形成すべきスラブの下方に仮設床面となる上面を備えた金属板製の第１のデッキプレートと、仮設床面となる上面を備えた金属板製の第２のデッキプレートとを有し、連結長調節機構によって連結長を調節自在に連結されているスライド式デッキプレートを、スラブ形成領域の大きさに合わせて連結長を調節して複数整列配置して仮設床面を形成し、この仮設床面上にスラブ型枠を形成した後コンクリートを打設してスラブを形成する点にある。
【００１６】
このような構成を採用したことにより、スラブ形成領域において、例えば形成された対向する梁と梁の様々な間隔に応じて連結長さを調節することができ、様々な箇所に転用が可能である。また、長さの微調整ができるため従来のように形成された対向する梁上にデッキプレートの両側端を載置しないので、コンクリート打設後にデッキプレートをはめ殺しにしてしまうことがなく再利用が可能となり、コストを大幅に低減することができる。さらに、デッキプレートをはめ殺しにしないことから、従来のように、コンクリート打設後に形成された梁の断面に欠損が生じることを防止することができるとともに、結露が生じることを防止することができる。
【００１７】
また、本発明に係るスラブ施工方法の他の特徴は、両デッキプレートは、仮設床面となる上面を形成するプレート本体と、このプレート本体の下面に固定されるとともに両デッキプレートの連結方向に長い少なくとも１本のスライドホルダをそれぞれ有しており、連結長調節機構は、両デッキプレートのプレート本体およびスライドホルダを互いに雄雌状にして連結するように形成されている点にある。
【００１８】
このような構成を採用したことにより、両デッキプレートの連結を強固にすることができ、コンクリート打設時に、コンクリートの重量により両デッキプレートが連結部から歪むことを防止することができる。
【００１９】
また、本発明に係るスラブ施工方法の他の特徴は、両デッキプレートのプレート本体は、連結方向と直交する両端部に隣位するデッキプレートと重畳して連結される重畳連結部を有している点にある。
【００２０】
このような構成を採用したことにより、複数のスライド式デッキプレートを整列配置する際、各スライド式デッキプレートの位置合わせおよび連結を容易に行なうことができる。
【００２１】
また、本発明に係るスラブ施工方法の他の特徴は、各デッキプレートの上面に、連結方向に直交する方向に延在して突出したリブを、連結方向および連結方向に直交する方向に整列して複数形成した点にある。
【００２２】
このような構成を採用したことにより、各デッキプレートの連結方向と直交する方向の強度を向上させることができるとともに、各デッキプレート上において作業者が作業を行なう際に、滑り止めとしての効果を奏することができる。
【００２３】
【発明の実施の形態】
以下、図面を用いて本発明に係るスライド式デッキプレートおよびこのスライド式デッキプレートによるスラブ施工方法の実施形態について説明する。
【００２４】
図１は本発明に係るスライド式デッキプレートの概略側面図、図２は本発明に係るスライド式デッキプレートを構成する２つのデッキプレートの単体と組立て状態における縦断面図、図３は図１の概略平面図、図４は本発明のスラブ施工方法の実施形態を示す概略側面図、図５、図６はそれぞれ本発明に係るスライド式デッキプレートの他の実施形態の１つを示した断面図である。
【００２５】
本実施形態におけるスライド式デッキプレート１は、図１および図２に示すように、第１のデッキプレート１ａと第２のデッキプレート１１ａが連結長調節機構８をもって連結長を調節自在にして連結されて構成されている。
【００２６】
前記第１のデッキプレート１ａは、スチール等の鋼板製のデッキプレート本体２を有しており、その上面２ａが略長方形状であって、連結方向と直交する方向の両側端が下方に折曲されて側面２ｂ，２ｃが形成されている。前記側面２ｂの下端には、前記デッキプレート本体２の内側に凹状に折曲した折曲部３が形成され、前記側面２ｃの下端には、前記デッキプレート本体２の外側に凹状に折曲した折曲部４が形成されている。前記デッキプレート本体２の底面２ｄには、３本の断面視四角形状の筒状のスライドホルダ５が連結方向に延在して配設され、前記各スライドホルダ５は連結長調節機構８によって連結調節する長さ以外の部分において前記底面２ｄに内側折曲部５ａ，５ａを溶接等により固着され、残る部分は前記底面２ｄから離脱されている。この離脱部（図示せず）に、後述する第２のデッキプレート１１ａが挿入され、前記各スライドホルダ５を、後述する第２のデッキプレート１１ａの各スライドホルダ１５に挿入することにより連結長調節機構８が形成される。
【００２７】
前記第２のデッキプレート１１ａは、前記第１のデッキプレート１ａと同様の材料から形成されており、上面１２ａが略長方形状のデッキプレート本体１２を有しており、連結方向と直交する方向の両側端が下方に折曲されて側面１２ｂ，１２ｃが形成されている。前記前記側面１２ｂの下端には、前記デッキプレート本体１２の内側に凹状に折曲した折曲部１３が形成され、前記側面１２ｃの下端には、前記デッキプレート本体１２の外側に凹状に折曲した折曲部１４が形成されている。前記デッキプレート本体１２の底面１２ｄには、３本の断面視四角形状の筒状のスライドホルダ１５が連結方向に延在して、外側折曲部１５ａ，１５ａを溶接等により固着されている。
【００２８】
図２（ａ）に示すように、前記デッキプレート本体２の折曲部４は、デッキプレート本体２の折曲部３よりも大きく形成されている。図２（ｂ）に示すように、前記デッキプレート本体１２の折曲部１４は、デッキプレート本体１２の折曲部１３よりも大きく形成されている。また、図２（ｃ）に示すように、前記デッキプレート本体１２の折曲部１４は、デッキプレート本体２の折曲部４よりも大きく丁度内側に収容できる大きさに形成されており、デッキプレート本体１２の折曲部１３は、デッキプレート本体２の折曲部３よりも小さく、丁度内側に収納される大きさに形成されている。
【００２９】
また、図２（ｃ）に示すように、デッキプレート本体１２の底面１２ｄに固着された各スライドホルダ１５の筒状の大きさは、デッキプレート本体２の底面２ｄに配設された各スライドホルダ５を丁度内側に収納できる大きさに形成されている。
【００３０】
さらに、デッキプレート本体２の上面２ａおよびデッキプレート本体１２の上面１２ａには、図３に示すように、幅方向（連結方向と直交する方向）に延在して上方に２ｍｍ程度突出したリブ６が幅方向および連結方向に整列して形成されている。
【００３１】
このような構成からなる第１のデッキプレート１ａと第２のデッキプレート１１ａにおいて、図２（ｃ）に示すように、前記デッキプレート本体１２を、前記デッキプレート本体２の底面２ｄの各スライドホルダ５が離脱している離脱部から挿入するようにして、連結長調節機構８を用いて雌雄状にして両者を連結する。この時、同時に、デッキプレート本体２の折曲部３の内側にデッキプレート本体１２の折曲部１３を重畳しながら挿入し、デッキプレート本体２の折曲部４をデッキプレート本体１２の折曲部１４の内側に上方から重畳しながら挿入し、さらに、デッキプレート本体２の底面２ｄに配設された各スライドホルダ５を、デッキプレート本体１２の底面１２ｄに配設された各スライドホルダ１５内に挿入してスライド式デッキプレート１が完成される。
【００３２】
こうして形成された本実施形態のスライド式デッキプレート１は、デッキプレート本体２の底面２ｄに配設された各スライドホルダ５の離脱部の連結方向の幅の範囲で、連結長調節機構８によってデッキプレート本体１２をスライド可能とし、建設現場において、様々な間隔で対向する梁の間に設置することができ、広い範囲で転用が可能となる。また、建設現場において、前記スライド式デッキプレート１を連結方向と直交する方向（本実施形態において幅方向）に複数整列配置する際には、図２（ｃ）に示すように、隣位するスライド式デッキプレート１の幅方向両端部に折曲げ形成されている側面と折曲部（２ｂと３，２ｃと４，１２ｂと１３，１２ｃと１４）からなる重畳連結部を互いに重畳させることにより、各スライド式デッキプレート１を隙間を空けないようにして簡単に配置することができる。
【００３３】
また、前記スライドホルダ５，１５は、面でデッキプレート本体２，１２を支持しているため、コンクリートがその上に載ってもデッキプレート本体２，１２が変形することを防止することができる。
【００３４】
さらに、各デッキプレート本体２，１２の上面２ａ，１２ａに複数形成されたリブ６により、各デッキプレート本体２，１２の幅方向の強度を向上させることができるとともに、各デッキプレート本体２，１２上において作業者が作業を行なう際に、滑り止めとしての効果を奏することができる。
【００３５】
つぎに、前記スライド式デッキプレート１を使用した本発明のスラブ施工方法について説明する。
【００３６】
本発明のスラブ施工方法は、図４に示すように、既に形成された下階のスラブ１６上に垂直および水平に組まれた支保工１７を配設し、この支保工１７上に、従来公知の梁型枠１８を形成する。そして、対向して形成された梁型枠１８間の支保工１７上に枕木１９を載置して、この枕木１９上に前記スライド式デッキプレート１を、両側端が前記梁型枠１８上に、前記梁型枠１８内に突出しないようにスライド式デッキプレート１の２つのデッキプレート本体２，１２を連結長調節機構８をもってスライドさせて長さを調節して載置する。そして、前記スライド式デッキプレート１を幅方向に複数整列させて配置する場合には、各スライド式デッキプレート１の重畳連結部である折曲部３，１３および折曲部４，１４を重畳させ、各スライド式デッキプレート１の底面に支保工１７および枕木１９を設置して配置する。
【００３７】
つぎに、複数のスライド式デッキプレート１が整列配置されて形成された仮設床面２０上に、鉄筋からなるスラブ型枠（図示せず）を形成した後、コンクリート２１を打設する。
【００３８】
そして、流入されたコンクリート２１が固化した後、前記梁型枠１８および前記仮設床面２０を形成している複数のスライド式デッキプレート１を取外し、梁２２およびスラブ２３が完成する。
【００３９】
以上説明したように、本発明のスラブ施工方法によれば、スライド式デッキプレート１の２つのデッキプレート２，１２のスライド機能によりスラブ形成領域となる梁型枠１８，１８の様々な間隔に対応することができる。さらに、支保工１７および枕木１９により下方からスライド式デッキプレート１を支持し、梁型枠１８内にスライド式デッキプレート１の端部を突出させることなく仮設床面２０を形成するので、スライド式デッキプレート１をはめ殺しにすることもなく、かつ、コンクリート２１の打設後、梁２２の断面に欠損が生じることを防止することができる。
【００４０】
また、スラブ２３の形成時にスライド式デッキプレート１をはめ殺しにしないため、梁２２およびスラブ２３形成後に結露が生じることを防止することができ、さらに、スライド式デッキプレート１を再利用することが可能である。また、スライド機能によりスライド式デッキプレート１を様々な長さに調節することが可能であるため、様々なものに転用することができる。
【００４１】
なお、本発明は、前述した実施形態に限定されるものではなく、必要に応じて種々の変更が可能である。例えば、本実施形態において両デッキプレート本体２，１２の上面２ａ，１２ａは略長方形状であるが、これに限定されるものではなく、正方形状等任意の形状であってもよい。また、本実施形態において、両デッキプレート本体２，１２の底面２ｄ，１２ｄに配設された各スライドホルダ５，１５の断面形状は四角形状であるが、三角形状等任意の形状であってもよい。さらに、本実施形態において、両デッキプレート本体２，１２には、それぞれ折曲部３，４，１３，１４が形成されているが、図５（ａ），（ｂ），（ｃ）に示すように、外側に折曲した折曲部４，１４のみを形成してもよい。このとき、各折曲部４，１４は、両デッキプレート本体２，１２を重畳し、複数のスライド式デッキプレート１を整列して配置した際に、他のスライド式デッキプレート１の側面２ｂ，１２ｂが内側に丁度収納できる大きさに形成されていることが好ましい。また、図６（ａ），（ｂ），（ｃ）に示すように、各デッキプレート本体２，１２の折曲部を外側に折曲した折曲部４，１４のみ形成するとともに、この折曲部４，１４を凹形状ではなくレ字状に形成してもよい。このとき、複数のスライド式デッキプレート１を整列して配置した際に、他のスライド式デッキプレート１の側面２ｂ，１２ｂが内側に丁度収納できるように、側面２ｂ，１２ｂを短く形成することが好ましい。
【００４２】
【発明の効果】
以上説明したように本発明のスライド式デッキプレートによれば、スラブ形成領域の様々な間隔に応じてデッキプレートの長さを調節することができ、様々なものに転用が可能となる。
【００４３】
また、本発明のスラブ施工方法によれば、形成された梁の断面に欠損が生じることを防止することができる。また、デッキプレートをはめ殺しにしないため、結露が生じることを防止することができ、さらに、デッキプレートを再利用することができ、コストを大幅に低減することができる。
【図面の簡単な説明】
【図１】本発明に係るスライド式デッキプレートの概略側面図
【図２】（ａ）〜（ｃ）は図１のＡ−Ａ線に沿った断面図であり、（ａ）および（ｂ）はそれぞれ本発明に係るスライド式デッキプレートを構成する２つのデッキプレートの単体を示す縦断面図、（ｃ）は両デッキプレートの連結状態を示す縦断面図
【図３】図１の概略平面図
【図４】本発明のスラブ施工方法の実施形態を示す概略側面図
【図５】本発明に係るスライド式デッキプレートの他の実施形態の１つを示した断面図
【図６】本発明に係るスライド式デッキプレートの他の実施形態の１つを示した断面図
【符号の説明】
１  スライド式デッキプレート
２  デッキプレート本体
３  折曲部
４  折曲部
５  スライドホルダ
６  リブ
８  連結長調節機構
１２  デッキプレート本体
１３  折曲部
１４  折曲部
１５  スライドホルダ
１６  スラブ
１７  支保工
１８  梁型枠
１９  枕木
２０  仮設床面
２１  コンクリート
２２  梁
２３  スラブ
【図１】
2005054354.tif 000003
【図２】
2005054354.tif 000004
【図３】
2005054354.tif 000005
【図４】
2005054354.tif 000006
【図５】
2005054354.tif 000007
【図６】
2005054354.tif 000008